(57)【要約】 【課題】  コンパクトに形成できるＩＣコイン処理装置を提供することを目的とする。【解決手段】  データを記憶させたＩＣコインを受入れ可能で、データの処理を行うＩＣコイン処理装置２０において、ＩＣコインを受け入れる受入口２２と、ＩＣコインを保持するロータ４４と、ロータ４４に保持されたＩＣコインのデータを読み取るＩＣコインリーダ４２と、複数枚のＩＣコインを起立状態で厚み方向に並べて貯留する貯留部３４とを備え、ロータ４４の第１コイン送出部５０ａが貯留部３４に貯留されているＩＣコインを取り出す。【選択図】      図１３
2007098111.tif 000002
【特許請求の範囲】
【請求項１】
データを記憶させたＩＣコインを受入れ可能で、前記データの処理を行うＩＣコイン処理装置において、
ＩＣコインを受け入れる受入口と、
ＩＣコインを保持する切り欠き凹部を備え回動可能に構成された保持手段と、
該保持手段に保持されたＩＣコインのデータを読み取るＩＣコインリーダと、
複数枚のＩＣコインを起立状態で厚み方向に奥側へ向って並べて貯留する貯留部とを備え、
前記保持手段は前記切り欠き凹部よりも回動中心から離れた位置にコイン送出部を備え、
該コイン送出部が貯留部の最前部に貯留されているＩＣコインを取り出すことを特徴とするＩＣコイン処理装置。
【請求項２】
データを記憶させたＩＣコインを受入れ可能で、前記データの処理を行うＩＣコイン処理装置において、
ＩＣコインを受け入れる受入口と、
ＩＣコインを保持し回動可能に構成された保持手段と、
該保持手段に保持されたＩＣコインのデータを読み取るＩＣコインリーダと、
複数枚のＩＣコインを貯留可能な貯留部とを備え、
該貯留部にはＩＣコインが起立状態で厚み方向に並べて貯留され、
前記保持手段が所定の方向に回動することによって貯留部に貯留されたＩＣコインを取り出し、
前記所定の方向とは逆の方向に回動することによって保持したＩＣコインを貯留部に貯留することを特徴とするＩＣコイン処理装置。
【発明の詳細な説明】
【技術分野】
【０００１】
本発明は、遊技施設に併設されパチンコ玉やメダル等の遊技媒体を貸し出す遊技媒体貸出機の内部に設置されるＩＣコイン処理装置に関する。
【背景技術】
【０００２】
近年、パチンコパチスロ遊技場においては、電子データの書込みが可能なＩＣコインを利用する遊技媒体貸出機が導入されている。この遊技媒体貸出機は、貨幣の投入を受付け指定購入金額に応じた玉やメダルなどの遊技媒体を払い出す一方、投入した貨幣の金額から遊技媒体の購入金額を差し引いた金額その他のデータを書き込んだＩＣコインを払い出して返却する。返却されたＩＣコインは、精算機に投入することにより、当該ＩＣコインに書き込まれている金額分の貨幣の払出しを受けることができ、あるいは次回に遊技媒体貸出機に投入することにより、遊技媒体の貸し出しを受けることができる。
【０００３】
このような遊技媒体貸出機内に設置されるＩＣコイン処理装置として、例えば特開２００２−２１０２０７号公報に開示されたものがある。これはＩＣコインを受入れ保持するコインホルダを備えたロータを回転制御することにより、コインホルダに受け入れたＩＣコインを回転移動させることができる装置であり、コインホルダの回転軌跡上の位置から連通する押上通路に複数枚のＩＣコインが貯留されている。遊技媒体貸出機に貨幣が投入されると、押上通路に貯留されているＩＣコインが１枚コインホルダに収納された後、ロータの回転により情報処理位置に移動され、入金分のデータがＩＣコインに記録される。遊技媒体の払出が行われると、払出した分の金額が減算され、遊技が途中で終了された場合は残額が記録されたＩＣコインを返却し、残額がなくなった場合は再び押上通路に戻され貯留される。ＩＣコインが投入された場合は、投入されたＩＣコインをロータのコインホルダで受入れた後、ロータの回転により情報処理位置に移動され、その後は貨幣が投入された場合と同様の処理が行われる。
以上のようにＩＣコイン処理装置が構成されており、押上通路にてＩＣコインが貯留されているので、ＩＣコインが遊技客に返却されてしまった場合でも、次の遊技客の貨幣投入に基づいてＩＣコインが押上通路より補給され、ＩＣコインの発行ができるので、係員が新しいＩＣコインを補充する必要がないとしている。
【特許文献１】特開２００２−２１０２０７号公報
【発明の開示】
【発明が解決しようとする課題】
【０００４】
上記した従来のＩＣコイン処理装置は、貨幣を投入して投入金額分使用しきることなくＩＣコインの返却を行う遊技客が続くこともあり、そのような場合にも対応できるようにできるだけ多くのＩＣコインを貯留しておく必要がある。しかしながら上記文献のＩＣコイン処理装置は、押上通路にてＩＣコインを起立姿勢で縦に積み重ねて貯留する形式であり、多く貯留するとなると非常に大きなスペースを要していた。
また、遊技店の売上を高めるためには、紙幣、ＩＣコイン、硬貨、会員カードなど多くの媒体が遊技媒体貸出機で使用できるようにすることが望ましく、それを実現するには上記した各媒体を処理する装置やそれらの装置を制御する装置等を遊技媒体貸出機内に設置しなければならないが、遊技媒体貸出機はパチンコ台間に設置されるために、内部のスペースは非常に小さく、従来から上記したような多くの媒体を使用できるような遊技媒体貸出機の実現は非常に困難であった。このようなことから、遊技媒体貸出機に設置する各装置をコンパクトに形成することが求められていた。
【０００５】
本発明は、このような従来の問題点に鑑み、ＩＣコインを貯留することが可能であり且つコンパクトに形成できるＩＣコイン処理装置を提供することを目的とする。
【課題を解決するための手段】
【０００６】
このため本発明の請求項１は、データを記憶させたＩＣコインを受入れ可能で、データの処理を行うＩＣコイン処理装置において、ＩＣコインを受け入れる受入口と、ＩＣコインを保持する切り欠き凹部を備え回動可能に構成された保持手段と、保持手段に保持されたＩＣコインのデータを読み取るＩＣコインリーダと、複数枚のＩＣコインを起立状態で厚み方向に奥側へ向って並べて貯留する貯留部とを備え、保持手段は切り欠き凹部よりも回動中心から離れた位置にコイン送出部を備え、コイン送出部が貯留部の最前部に貯留されているＩＣコインを取り出すものとした。
【０００７】
本発明の請求項２は、データを記憶させたＩＣコインを受入れ可能で、データの処理を行うＩＣコイン処理装置において、ＩＣコインを受け入れる受入口と、ＩＣコインを保持し回動可能に構成された保持手段と、保持手段に保持されたＩＣコインのデータを読み取るＩＣコインリーダと、複数枚のＩＣコインを貯留可能な貯留部とを備え、貯留部にはＩＣコインが起立状態で厚み方向に並べて貯留され、保持手段が所定の方向に回動することによって貯留部に貯留されたＩＣコインを取り出し、所定の方向とは逆の方向に回動することによって保持したＩＣコインを貯留部に貯留するものとした。
【発明の効果】
【０００８】
上記した請求項１の構成によれば、多くの枚数のＩＣコインを小さいスペースの中で貯留することができるので、遊技媒体貸出機の狭いスペース内にコンパクトに収容される。また、コイン送出部により貯留部に貯留されたＩＣコインを取り出すことができるので、遊技媒体貸出機に貨幣を投入して遊技媒体の購入を行った場合でも、残高をＩＣコインに設定して返却を行うことができる。
【０００９】
上記した請求項２の構成によれば、多くの枚数のＩＣコインを小さいスペースの中で貯留することができるので、遊技媒体貸出機の狭いスペース内にコンパクトに収容される。また、遊技媒体貸出機に貨幣を投入して遊技を行う場合の貯留部からのＩＣコインの取り出しや、残高がなくなった場合の貯留部へのＩＣコインの貯留を、保持手段の回動方向の制御により行うことができる。
【発明を実施するための最良の形態】
【００１０】
以下、本発明の実施の形態について詳細に説明する。
図１は、本発明をパチンコ店に適用した実施の形態の構成を示す図である。
遊技媒体貸出機としての玉貸機１が図示省略のパチンコ台間に設置されている。玉貸機１は、それぞれ紙幣挿入口３、ＩＣコインの投入口４、カード挿入口５、返却口６、および玉払出し口７を備えている。
玉貸機１はまた、内部に制御部６０を備え、各制御部６０は管理サーバ７０と通信可能に接続されている。
管理サーバ７０は、さらにパチンコ店内の適宜箇所に設置された精算機７５とも通信可能に接続されている。
ＩＣコインにはそれぞれを識別可能なＩＤが書き込まれており、管理サーバ７０は、ＩＣコインのＩＤに対応させた管理領域７２（７２Ａ、７２Ｂ、・・７２Ｎ）を設定し、各ＩＣコインの金額データを記憶可能に構成されている。
【００１１】
図２は玉貸機１の正面図である。
図２に示すように、玉貸機１の略中間高さ位置には樋状の玉払出し口７が配置されている。玉払出し口７より上側の上半部には、上から順に紙幣挿入口３、ＩＣコインの投入口４が設けられ、さらにその下側には、返却スイッチ８、残高・貯玉度数表示部１０、残玉回数表示部１１、表示切替スイッチ１２、高額払出スイッチ１３、高額使用可表示部１４、貯玉払出スイッチ１５、貯玉使用可表示部１６が設けられている。
【００１２】
また、玉払出し口７より下側の下半部には、返却口６、およびカード挿入口５が設けられている。
返却スイッチ８は、ＩＣコインや会員カードの返却を求めるためのスイッチである。
残高・貯玉度数表示部１０は、投入された紙幣、ＩＣコインまたは会員カードの残高金額または対応する玉数を表示する。表示切替スイッチ１２はＩＣコインまたは会員カードのいずれの残高を残高・貯玉度数表示部１０に表示させるかを選択するためのものである。
残玉回数表示部１１は、貸玉を払出す際に、払出すべき玉数を減算表示する。
【００１３】
高額払出スイッチ１３は、例えば２千円以上の高額紙幣を投入したとき、まず千円分だけの玉が玉払出し樋から払い出されるが、その後さらに払出しを受けるためのものである。残高が存在する範囲で、このスイッチを押すごとに千円分ずつの玉が払い出される。
高額使用可表示部１４は、当該玉貸機が高額紙幣を受付け可能状態であることをＬＥＤの点灯で表示する。また貯玉使用可表示部１６は、当該玉貸機が会員カードを受付け可能状態であることをＬＥＤの点灯で表示する。
【００１４】
貯玉払出スイッチ１５は、会員カードが挿入されているとき、払出しを受けるためのものである。貯玉が存在する範囲で、このスイッチを押すごとに例えば１００個分など所定単位ずつの玉が払い出される。
返却口６は、残高が設定されたＩＣコインを払い出す。
【００１５】
玉貸機１の内部には、紙幣挿入口３から投入された紙幣の真偽および金額を識別する紙幣識別機（不図示）が設けられ、投入されたものが真紙幣の場合は図示しない紙幣搬送通路へ送り出される一方、偽紙幣の場合は紙幣挿入口３から差し戻される。
ＩＣコインの投入口４は玉貸機１の内部に設けられた詳細後述のＩＣコイン処理装置２０の受入口２２につながっている。また、投入口４には不図示のシャッターが設けられ、ＩＣコインや高額紙幣の投入後の残高がある間はシャッターを閉じて、ＩＣコイン等の投入を受付けないようにしている。
玉払出し口７は玉貸機１の内部に設けられた図示しない貸玉供給部に接続している。
【００１６】
つぎに、ＩＣコイン処理装置２０の構造について説明する。図３は、ＩＣコイン処理装置２０の外観斜視図、図４はその正面図、図５は図４におけるＡ−Ａ部断面図である。図６はロータ４４の正面斜視図、図７はロータ４４の背面斜視図であり、それぞれ（ａ）はＩＣコインを保持していない状態、（ｂ）は切り欠き凹部４５にＩＣコインを保持した状態を示している。
【００１７】
ＩＣコイン処理装置２０は、受入通路２４と、ＩＣコイン処理部４０と、返却通路２６と、回収通路２８と、オーバーフロー通路３０と、エラーコイン通路３２と、貯留部３４と、ロータ駆動部８０（図８参照、詳細後述）とで大略構成され、各通路及び貯留部は樹脂成型で一体に形成され、前面側にカバー部材を重ね合わせて構成してあるが、内部構造を示すためにカバーは図面上では省略してある。また、各通路はＩＣコインが起立状態で通過可能であり、スムーズに移動できるように通路高さはＩＣコインの直径よりやや大きく形成してある。
【００１８】
ＩＣコイン処理部４０にはロータ駆動部８０によって回動するロータ４４と、ＩＣコインのデータを読み取るＩＣコインリーダ４２が設けられている。ロータ４４はＶ字型の切り欠き凹部４５を有し、受入口２２から入って受入通路２４を移動してきたＩＣコイン等をその切り欠き凹部４５に保持し、一方向又は逆方向に回動する。ＩＣコインリーダ４２は上述した図示省略のカバー側に設けられ、ＩＣコインのＩＤを読み取り、そのＩＤを制御部へ出力する。なお、ロータ４４が発明における保持手段を構成している。
【００１９】
ロータ４４には透過穴４７が設けられている。ロータ４４の奥側には図示省略の光源を設置し、該光源からの光を透過穴４７を通して受光する受光部を前面側のカバー（図示省略）に設置して、光源と受光部とで透過センサを形成している。ＩＣコインなどがロータ４４の上向き位置にある切り欠き凹部４５に入ると、透過穴４７を通して光源から受光部に届いていた光が遮断されるので、ＩＣコインなどが切り欠き凹部４５に保持されたことが検知される。
【００２０】
なお、図に示すように、ロータ４４の切り欠き凹部４５、及び各通路の通路面には複数本の突条３３，４８を設けて、当該切り欠き凹部４５及び各通路へのＩＣコインの出入に対する摩擦抵抗を軽減させている。
【００２１】
貯留部３４はロータ４４の左下の位置に奥側へ向かって突出し、中が筒状になっておりＩＣコインが起立姿勢で厚み方向に並んで貯留される。また図５に示すように、その貯留底部３４ｃはバネ３４ｄによって前面に向かって付勢され、前面ストッパー３４ａによって最前部に貯留されているＩＣコインだけが通路上に突出した状態で支持されるように形成されている。
【００２２】
つぎに、ロータ駆動部８０の詳細について説明する。ロータ駆動部は駆動モータとギヤ列で構成され、ＩＣコイン処理装置の配面側に設けられている。図８はＩＣコイン処理装置２０のロータ駆動部８０を示す背面図、図９、図１０は駆動モータとギヤ列のみを取り出して示す図であり、図９は正面図、図１０は平面図である。
駆動モータ８２から、順次に第１ギヤ８４、第２ギヤ８５、第３ギヤ８６が連結し、第３ギヤ８６がロータ４４と噛み合っている。各ギヤはそれぞれ大歯車と小歯車を備えて、順次に減速する。
駆動モータ８２は回転軸に斜歯歯車８３を備え、第１ギヤの大歯車８４ａは、駆動モータ８２の斜歯歯車８３と噛み合う斜歯となっている。その他の各ギヤの歯車は平歯車である。ロータは、切り欠き凹部４５を形成した面の裏側に第３ギヤ８６の小歯車８６ｂと噛み合う大歯車８７を備えている。
駆動モータ８２の回転が第１ギヤ８４〜第３ギヤ８６のギヤ列により減速、伝達されて、ロータ４４を回転させる。制御部６０は、駆動モータ８２を制御することにより、ロータ４４の回転および回転位置を制御する。
【００２３】
また、制御部６０は、玉貸機１の下半部に配置されおり、紙幣識別機、およびカードリードライタと接続されている。これにより、紙幣識別機は紙幣挿入口３から投入された紙幣の金額データを制御部６０へ出力する。
【００２４】
図３等も参照して、ＩＣコイン処理部４０では、ＩＣコインがロータ４４の切り欠き凹部４５に入ると、透過センサの検知信号が制御部６０へ入力される。制御部６０はその信号に基づいて、ロータを反時計回りに回動させる指令を出力し、図１１（ａ）に示すようにＩＣコインをＩＣコインリーダ４２の位置まで移動させて停止する。このとき、ＩＣコインは、各通路と一体に樹脂成型された支持部３６の先端部３６ａによって支持されている。そして、ＩＣコインリーダ４２の位置で保持しているＩＣコインのＩＤをＩＣコインリーダに読み取らせる。
【００２５】
また、このようにロータ４４が回動すると共に、コイン押し下げ部５４（図７参照）が、貯留部３４の最前部に通路側に突出した状態で貯留されているＩＣコインを奥側へ押し下げていき、押し下げ支持部５２が当該貯留ＩＣコインを押し下げた状態を維持している。
【００２６】
ＩＣコインリーダ４２でＩＤが読み取れた場合は、ＩＤデータは制御部６０に入力され、当該ＩＣコインのＩＤに対応する管理領域７２に記憶された金額の残高範囲内で玉の払出が可能となる。
残高がなくなった場合は、さらに反時計回りにロータ４４を回動させ、図１２（ａ），（ｂ）に示すように、上述した貯留部３４で押し下げ支持部５２に押し下げられているＩＣコインのさらに前方に、切り欠き凹部４５で保持したＩＣコインを滑り込ませる。そして、図１２（ｃ），（ｄ）に示すように、そのままロータ４４を反時計回りに回動させ続けてＩＣコインは側面部ストッパー３４ｂに沿いながら切り欠き凹部４５の右突出部４５ｂによって貯留部３４へ押込まれる。さらに、そのままロータ４４を反時計回りに回動させ続けて切り欠き凹部４５が上向きとなった位置で停止する。
残高があるときに、返却スイッチ８が押されると、ロータ４４を時計回りに回動させ、ＩＣコインを返却通路２６へ送り出す。返却通路２６は遊技媒体貸出機１の返却口６に繋がっている。
【００２７】
ＩＣコインリーダ４２でＩＤを読み取れなかったときは、ロータの切り欠き凹部４５に保持したものはＩＣコインではないとして、ロータ４４を時計回りに回動させ、ＩＣコインを返却通路２６へ送り出す。その後、ロータ４４を反時計回りに回動させて再び切り欠き凹部が上向きとなった位置で停止する。
【００２８】
また、上記した支持部３６は図１１（ｂ）に示すように先端側の約半分が左右に可動するように切り離されて成型されており、ＩＣコインより直径の大きいものが投入された場合でも、支持することができるようにしている。即ち、ＩＣコインより大きい直径のものが投入された場合には、支持部は先端側が左に押された状態で投入されたものを支持する。
【００２９】
また、紙幣挿入口３から高額紙幣（２千円以上）の入金がされた場合は、制御部６０はロータ４４を回動させる指令を出力する。ロータ４４を切り欠き凹部４５が上向きとなった位置から時計回りに回動していき、図１３（ａ），（ｂ），（ｃ），（ｄ）に示すように、貯留部３４の最前部で支持されているＩＣコインのみが第１コイン送出部５０ａ、第２コイン送出部５０ｂによって取り出され、当該取り出されたＩＣコインがＩＣコインリーダ４２の位置まで運ばれる。詳述すると、第１コイン送出部５０ａによって当該最前部で貯留されているＩＣコインの中心から略４分の１程度下方位置が押され、持ち上げるようにして貯留部３４から取り出され、支持部３６の根元部分で支持されながら第２コイン送出部５０ｂでさらに上方に押し上げられ、支持部３６の先端と切り欠き凹部４５でＩＣコインリーダ４２の位置にて保持され停止する。また、それと同時に次位に貯留されていたＩＣコインがバネ３４ｄの付勢により、貯留部の最前部へ押し出される。そして、貯留部３４から運ばれたＩＣコインのＩＤをＩＣコインリーダ４２に読み取らせ、ＩＤに対応する管理領域に入金額を記憶し、その金額の範囲内で玉の払出が可能となる。その後はＩＣコインが投入された場合と同様の処理を行う。また、投入通路２４及び返却通路２６の通路壁や貯留部３４の側面ストッパー３４ｂには切欠き３１を設け、シャッターＳ１は２つに別れていて、ロータ４４が回動する際に第１コイン送出部５０ａ、第２コイン送出部５０ｂが通過できるようにしている。
【００３０】
貯留部３４から運んできた当該ＩＣコインのＩＤが読み取れないエラーが発生した場合は、制御部６０はロータ４４を時計回りに回動させ、シャッターＳ１及び、シャッターＳ２を閉じる指令を出力する。このとき、図１４（ａ），（ｂ），（ｃ），（ｄ）に示すようにシャッターＳ１及び第１コイン送出部５０ａ、第２コイン送出部５０ｂに押し出されるようにしてＩＣコインが回収通路２８へ送出され、シャッターＳ２が閉じられているのでエラーコイン通路３２へ送られる。エラーコイン通路３２は遊技媒体貸出機１内のエラーコイン回収部（不図示）へ繋がっている。そして、ロータ４４をそのまま時計回りに回動させ続け、貯留部３４で次位に貯留されていたＩＣコインをＩＣコインリーダ４２の位置まで運び、そのＩＣコインのＩＤに対応する管理領域に入金額を記憶するようにする。
【００３１】
図１５、図１６は、以上のように構成された実施の形態における、貸玉購入時の制御動作の流れを示すフローチャートである。
まず、ステップ１００において、玉貸機１の紙幣識別機、およびＩＣコイン処理部４０は待機状態にある。
紙幣挿入口３から紙幣が投入されて、紙幣識別機から入金金額データが制御部６０へ入力されるとステップ１０１へ進む。
投入口４からＩＣコインが投入されて、ＩＣコイン処理部４０のＩＣコインリーダ４２からＩＣコインのＩＤが制御部６０へ入力されるとステップ３０１へ進む。
【００３２】
ステップ１０１で、制御部６０は、入金金額が千円以下であるかをチェックして、千円以下であればステップ１０２へ進み、千円を超える高額の場合はステップ１０３へ進む。
ステップ１０２では、制御部６０は入金金額分だけの貸玉を払出すように、貸玉供給部へ指令を出力して玉貸し処理を実行し、待機状態へ戻る。
【００３３】
一方、高額入金の場合、ステップ１０３では、制御部６０が、ロータ４４を回動させる指令を出力して、貯留部３４のＩＣコインをＩＣコイン処理部４０のＩＣコインリーダ４２の位置へ運んで（図１３参照）ＩＤを読み取り、ＩＣコインのＩＤと入金金額のデータを管理サーバ７０へ出力する。これにより、管理サーバ７０は、当該ＩＣコインのＩＤ（ＩＤ：Ａ）に対応させた管理領域７２Ａに入金金額（例えば５０００円）を記憶する。
このあとステップ１０４において、管理サーバ７０はまず千円分の玉貸しを制御部６０へ指示し、これに基づいて制御部６０は貸玉供給部へ指令を出力して玉貸し処理を実行する。管理サーバ７０は、当該ＩＣコインのＩＤ（ＩＤ：Ａ）に対応する管理領域７２Ａに記憶した金額から玉貸分の千円を差し引いた新たな金額（４０００円）を、当該管理領域に記憶する。
【００３４】
続いてステップ１０５において、管理サーバ７０は、上記管理領域７２Ａに記憶された金額が０（ゼロ）でない、すなわち残高があるかどうかをチェックする。そして残高がある場合は、ステップ１０６へ進み、残高がない場合はステップ１１０で制御部６０がロータ４４を回動させる指令を出し、当該ＩＣコインをＩＣコイン処理部４０から貯留部３４へ送らせ（図１２参照）、その後待機状態に戻る。
ステップ１０６では、管理サーバ７０は残高を制御部６０へ出力し、これを受信した制御部６０は利用可能残高として残高・貯玉度数表示部１１に表示する。
【００３５】
ステップ１０７では、制御部６０は、高額払出スイッチ１３がオンされたかどうかをチェックする。高額払出スイッチ１３がオンされた場合は、制御部６０はその旨を管理サーバ７０へ出力してステップ１０４へ戻る。すなわち、管理サーバ７０は千円分の玉貸しを制御部６０へ指示し、これに基づいて制御部６０は玉貸し処理を実行する。管理サーバ７０は、ＩＣコイン処理部４０のＩＣコインのＩＤ（ＩＤ：Ａ）に対応する管理領域７２Ａに記憶した金額から玉貸分の千円を差し引いた新たな金額（３０００円）を、当該管理領域に記憶する。
【００３６】
高額払出スイッチ１３がオンされていない場合は、ステップ１０７からステップ１０８へ進み、返却スイッチ８がオンされたかどうかをチェックする。返却スイッチ８もオンされていないときはステップ１０７へ戻り、高額払出スイッチ１３のオンまたは返却スイッチ８のオンのチェックを繰り返す。
【００３７】
ステップ１０８のチェックで返却スイッチ８がオンされたときは、ステップ１０９において制御部６０はロータ４４を回動させる指令を出し、ＩＣコインを返却通路２６へ払出させたあと、待機状態へ戻る。
【００３８】
ＩＣコインが投入された場合のステップ３０１では、制御部６０は、ＩＣコイン処理部４０でＩＣコインリーダ４２が読み取ったＩＣコインのＩＤを管理サーバ７０へ出力する。
ステップ３０２では、管理サーバ７０は、投入された当該ＩＣコインのＩＤ（ＩＤ：Ｂ）に対応する管理領域を検索し、その管理領域７２Ｂに記憶された金額が０（ゼロ）でない、すなわち残高があるかどうかをチェックする。そして残高がある場合は、ステップ１０６へ進み、以後高額入金時の処理と同じである。残高がない場合はステップ３０５へ進み、制御部６０がロータ４４を回動させる指令を出し、当該ＩＣコインをＩＣコイン処理部４０から貯留部３４へ送らせ（図１２参照）、その後待機状態に戻る。
【００３９】
以上のように、高額入金に対して入金金額の全部を消費しないで遊技を終了する場合には、ＩＣコインを払出し、そのＩＣコインのＩＤに対応させて管理サーバ７０に残額が記憶されるので、次回ＩＣコインを投入すればそのＩＤに基いて残高が確認され、貸玉の購入が可能となる。
【００４０】
なお、図示しないが、貯留部３４の最底部近傍には、ＩＣコインが貯留部３４の最底部近傍まで貯まったことを検知するためのセンサが設置され、センサは制御部６０に接続され、ＩＣコインが貯留部の最底部近傍まで貯まったときには、シャッターＳ１を閉じて、シャッターＳ２を開き、ロータ４４を回動させ、図１４のように貯留部３４の最前部のＩＣコインを回収通路２８側へ払出して、オーバーフローコイン通路３０へ送り出す。オーバーフローコイン通路３０は玉貸機１の内部に設けたオーバーフローコイン収納部（不図示）に繋がっている。
【００４１】
精算機７５もＩＣコインのＩＤを読み取る図示省略のリーダ部を備え、精算機７５に投入されたＩＣコインのＩＤを管理サーバ７０に出力する。管理サーバ７０は当該ＩＤに対応する管理領域７２に記憶された残額を精算機７５へ通知するので、精算機７５はその残額を精算金として払出す。管理サーバ７０は残額を精算機７５へ通知した後、当該ＩＤに対応する管理領域の残額をゼロに書き換える。
【００４２】
実施の形態は以上のように構成され、紙幣挿入口３からの入金金額から貸玉の購入金額を差し引いた残額が、貯留部の最前部で貯留されていたＩＣコインに対応する管理領域に記憶され、対応する管理領域に残額が記憶されたＩＣコインが払出されるので、次回はこの払出されたＩＣコインを投入口４から投入することにより貸玉を購入することができる。
【００４３】
そしてとくに、ＩＣコイン処理装置２０は、ＩＣコインが起立状態で移動する各通路と、ＩＣコインを保持して移動させるロータ４４と、ＩＣコインのＩＤを読み取るＩＣコインリーダ４２と、複数枚のＩＣコインを貯留可能な貯留部３４とを備えており、貯留部３４にはＩＣコインが通路を移動するときと同じ向きで厚み方向に並べて貯留されるようにしたので、玉貸機１の狭いスペース内にコンパクトに収容される。
【００４４】
そしてＩＣコインにはそれぞれを識別可能なＩＤが書き込まれ、管理サーバ７０はＩＣコインのＩＤに対応させた管理領域７２を設定し、ロータ４４に保持したＩＣコインのＩＤを読み取るＩＣコインリーダ４２を設け、読み取られたＩＤに対応する管理領域に残高を記憶するので、ＩＣコインには金額データを記憶させる必要はなく、不正な金額データ書換えの恐れがない。
【００４５】
実施の形態は、パチンコ店の玉貸機に適用することを例として説明したが、本発明はこれに限定されず、パチンコ玉のほかメダルその他の遊技媒体貸出機にも適用される。
なお、実施の形態では、ＩＣコインにはＩＤを書き込み、金額データは管理サーバ７０に記憶させるものとしたが、不正行為防止のための照合データの書込みなどを併用すれば、ＩＣコイン自体に金額データを書き込むものとすることもできる。
【図面の簡単な説明】
【００４６】
【図１】本発明をパチンコ店に適用した実施の形態の構成を示す図である。
【図２】玉貸機の正面図である。
【図３】ＩＣコイン処理装置の外観斜視図である。
【図４】ＩＣコイン処理装置の正面図である。
【図５】図４におけるＡ−Ａ部断面図である。
【図６】ロータの正面斜視図である。
【図７】ロータの背面斜視図である。
【図８】ロータ駆動部を示す背面図である。
【図９】駆動モータとギヤ列のみを取り出して示す正面図である。
【図１０】駆動モータとギヤ列のみを取り出して示す平面図である
【図１１】投入されたものをＩＣコインリーダで読み取る状態を示す図であり、（ａ）はＩＣコイン、（ｂ）はＩＣコインよりも直径が大きいものが投入された場合を示す。
【図１２】ＩＣコインを貯留部へ貯留させる動作を示す図である。
【図１３】貯留部のＩＣコインを取り出す動作を示す図である。
【図１４】ＩＣコインを回収する動作を示す図である。
【図１５】貸玉購入時の制御動作の流れを示すフローチャートである。
【図１６】貸玉購入時の制御動作の流れを示すフローチャートである。
【符号の説明】
【００４７】
１      玉貸機
３      紙幣挿入口
４      投入口
５      カード挿入口
６      返却口
７      玉払出し口
８      返却スイッチ
１０    残玉回数表示部
１１    残高・貯玉度数表示部
１２    表示切替スイッチ
１３    高額払出スイッチ
１４    高額使用可表示部
１５    貯玉払出スイッチ
１６    貯玉使用可表示部
１８    紙幣識別機
２０    ＩＣコイン処理装置
２２    受入口
２４    受入通路
２６    返却通路
２８    回収通路
３０    オーバーフロー通路
３２    エラーコイン通路
３４    貯留部
３４ａ  前面ストッパー
３４ｂ  側面部ストッパー
３４ｃ  貯留底部
３４ｄ  バネ
３６    支持部
３６ａ  先端部
４０    ＩＣコイン処理部
４２    ＩＣコインリーダ
４４    ロータ
４５    切り欠き凹部
５０ａ  第１コイン送出部
５０ｂ  第２コイン送出部
５２    押し下げ支持部
５４    コイン押し下げ部
６０    制御部
７０    管理サーバ
７２    管理領域
７５    精算機
８０    ロータ駆動部
Ｋ      ＩＣコイン
【図１】
2007098111.tif 000003
【図２】
2007098111.tif 000004
【図３】
2007098111.tif 000005
【図４】
2007098111.tif 000006
【図５】
2007098111.tif 000007
【図６】
2007098111.tif 000008
【図７】
2007098111.tif 000009
【図８】
2007098111.tif 000010
【図９】
2007098111.tif 000011
【図１０】
2007098111.tif 000012
【図１１】
2007098111.tif 000013
【図１２】
2007098111.tif 000014
【図１３】
2007098111.tif 000015
【図１４】
2007098111.tif 000016
【図１５】
2007098111.tif 000017
【図１６】
2007098111.tif 000018